(57)【要約】    手の指および手のひらに刺創、打撲または水疱などの原因となる作業、特にガーデニング、自動車整備などに特に有用な作業用手袋であって、人差し指および中指の中手指節関節を除いた人差し指および中指の末端半部に少なくとも重なるように位置した保護パッドが設けられている。また好ましくはこの手袋は、親指の尺骨縁および中手指節関節と指骨間関節との間のＡ２プーリーに沿うような位置で手袋の親指を入れる部分に配された保護パッドを含む。
2007506521.tif 000002
【特許請求の範囲】
【請求項１】
手を入れる開口部が形成されるように外周に沿って互いに固定された手のひら側パネルおよび甲側パネルとからなり、前記甲側パネルは、手の甲をカバーするサイズを有し、前記手のひら側パネルと共に指が入る複数の指入れ部を供し、親指尺骨保護パッドが中手指節関節と近位指節間関節との間の基節骨の尺骨縁に沿って配置される位置で親指を入れる部分に沿って配され、手のひら保護パッドが人差し指および中指の中手指節関節を除いた少なくとも人差し指と中指の中手骨の末端半部に重なっている作業用手袋。
【請求項２】
さらに親指の中手指節関節と指骨間関節との間の基節骨上の位置で前記親指を入れる部分に沿って配された親指Ａ２プーリーパッドを含むことを特徴とする請求項１記載の作業用手袋。
【請求項３】
人差し指の中手指節関節と指骨間関節の回転中心軸との間の少なくとも基節骨上に基節骨パッドを含むことを特徴とする請求項１記載の作業用手袋。
【請求項４】
人差し指の近位指節間関節の上で、かつ、遠位指節間関節の回転中心軸の下の少なくとも中節骨をカバーする中節骨パッドを含むことを特徴とする請求項３記載の作業用手袋。
【請求項５】
親指の中手指節関節の回転中心軸と手骨中手関節との間の中手骨に重なる親指中手骨パッドを含むことを特徴とする請求項１記載の作業用手袋。
【請求項６】
手を入れる開口部が形成されるように外周に沿って互いに固定された手のひら側パネルおよび甲側パネルとからなり、前記甲側パネルは、手の甲をカバーするサイズを有し、前記手のひら側パネルと共に指が入る複数の指入れ部を供し、手のひら保護パッドが人差し指および中指の中手指節関節を除いた少なくとも人差し指と中指の中手骨の末端半部に重なっている作業用手袋。
【請求項７】
さらに親指の中手指節関節と指骨間関節との間の基節骨上の位置で前記親指を入れる部分に沿って配された親指Ａ２プーリーパッドを含むことを特徴とする請求項６記載の作業用手袋。
【請求項８】
人差し指の中手指節関節と指骨間関節の回転中心軸との間の少なくとも基節骨上に基節骨パッドを含むことを特徴とする請求項６記載の作業用手袋。
【請求項９】
人差し指の近位指節間関節の上で、かつ、遠位指節間関節の回転中心軸の下の少なくとも中節骨をカバーする中節骨パッドを含むことを特徴とする請求項８記載の作業用手袋。
【請求項１０】
親指の中手指節関節の回転中心軸と手骨中手関節との間の中手骨に重なる親指中手骨パッドを含むことを特徴とする請求項６記載の作業用手袋。
【発明の詳細な説明】
【技術分野】
【０００１】
本発明は、野球、ソフトボールなどのスポーツをする、または作業をする際に着ける手袋に関する。本発明は、１つの態様において、特に使用者のグリップ力、着け心地、防御力、およびパフォーマンスを向上させるために設計されたバッティンググローブに関する。しかしながら、本発明は、広い用途に利用可能であり、手の保護を必要とする他の用途に効果的に使用することができる。より具体的には本発明は、使用者の手を保護するために特定の領域にパッドを含む作業用手袋（work glove）に関する。
【背景技術】
【０００２】
人間の手を保護する手袋の構造は、既によく知られている。特にバッティンググローブとして有用な手袋を教示する多くの特許が存在している。例えば、下記特許文献１には指を完全に覆い、異なる大きさの手に合うように所定の領域に弾性を有する膨張材料を含む構造の手袋が教示されている。一方、下記特許文献２には指の先が露出した保護用手袋の周囲を包んだ構造の手袋が教示されている。また下記特許文献３には手袋の先に沿った所定の領域に配された衝撃を吸収する気泡部を含む保護用手袋が教示されている。また下記特許文献４には手のひら部分にポリウレタン発泡パッドを有する手袋が教示されている。手首および手をサポートする、および安定させるスポーツ用の手袋もその他の文献に教示されている。現在使用されている手袋は、骨突出部位（bony prominence）を保護するものである。これらの手袋は、手が直接的な衝撃および擦り傷を受けないように保護するものであるが、バッティンググローブに求められているのは、手の骨突出部位に負荷をかけないようにする、腱鞘（pulleys）および腱（tendons）に負荷をかけないようにする、およびバットでボールを打った際の衝撃による怪我および繰り返しバットを振ったり、ボールを打つことによってこれら骨、靭帯、腱鞘および腱などに長期の治療を要する怪我の付帯リスクから使用者を保護するために特別に選択された所定の材料を所定の厚みにすることによって使用者の手の指および拳の動きを良好にすることによってグリップ力、着け心地および使用者のパフォーマンスを向上させるバッティンググローブである。
【特許文献１】米国特許第３，１７５，２２６号
【特許文献２】米国特許第４，５６１，１２２号
【特許文献３】米国特許第５，３４５，６０９号
【特許文献４】米国特許第５，７９０，９８０号
【０００３】
またホッケーなどのゴールキーパーの保護グローブ（blocker gloves）などのアイスホッケーのパックのように高く飛ぶものからプレーヤーの手を保護することが要求されるアイスホッケーおよびその他のスポーツに使用するグローブもよく知られている。これらの保護グローブは、その手の甲の部分に、手の甲だけでなく腕を覆うグローブの長手方向に延びた実質的に矩形の保護パッドが設けられている。これらの保護グローブは、ゴールキーパーがパックがゴールに入るのを防ぐ際にゴールに向かって飛んでくるパックの反射方向に対応するように設計されている。保護パッドは、通常、表面が厚いレザースキンで覆われ、その下に多層のパッド材料を有する。手のひらの部分は、指が入る、ホッケースティックを保持するために設計されたスティックグローブ部分である。しかしながら、この保護グローブの手のひら側にはグローブを貫くような衝撃に対する保護、指の柔軟性および関節の回転運動の維持の点で問題がある。
【発明の開示】
【発明が解決しようとする課題】
【０００４】
グローブの開発、設計において、いくつかの重要なエレメントが使用されている。最初にグローブの背側において、可動部分は指、手および手首の関節の中心軸によって決められる。これらの可動部分は、グローブの用途に応じて特定の関節の位置に設けられてきた。これによりグローブを使用する際にグローブが扱いやすくなる。したがって可動部分は、グローブの特定の役割または機能に応じて種々の組み合わせでまたは個別に選択される。
【０００５】
第２にグローブの手のひら側には別の可動部分がある。グローブの障害となるものを減少させ、グローブの透過性を向上させる機能も有するこれらの可動部分は、特に指関節の回転の中心軸に対して位置する。
【０００６】
第３にまたグローブの手のひらの側にはパッドが入っている特別な部分がある。このパッドの位置は、手および指の骨および関節の解剖学的構造によって決められる。手の場合、手のひらのパッドは、手首の回転中心軸の上（有鉤骨の鉤の真上または末端）および中手骨の回転中央軸の真下に位置する。これらの骨による目印は、手の表面において非常に判りやすいものである。これらの骨突出部位の間にパッドを配置することによって手のこれらの部分は、負荷から保護される。手のひら用のパッドの種類は、特有の機能に応じて選択される。他の用途ではパッドに何らかの調整が必要になるが、保持される物に対して手の骨突出部位に負荷をかけないということが基本的な前提である。
【０００７】
指用のパッドも同じように各特定の指の骨（節骨）の突出部位の間に位置する。指の個々のパッドは、節骨の比較的平らな部分に亘って、かつ、各節骨の各側にある関節の間に位置する。このパッドは、回転中心軸の近くの領域には位置しない。またこれによって骨の部分に負荷をかけず、指全体に亘ってより均一に力が配分される。言い換えれば、骨突出部位および個々の節骨の圧力が集中する領域が小さくなるので、不快感が少なくなる。当然のことながら、快適性が向上することによってグリップ力が強くなり特定の仕事のパフォーマンスを向上させることになる。指のパッドは、各指の基節骨および中節骨全体に亘って位置する。比較的骨張った屈筋腱腱鞘（flexor tendon pulley）の解剖学的構造によってこれらの領域は、Ａ２およびＡ４プーリーと特に相関関係がある。さらにこのような配置は、回転の中心軸（各特定の関節のための）から正確にパッドを離れた位置に維持させることによって各指および手を自由に動かすことが可能になる。グローブの用途に応じてこれらのパッドを種々の組み合わせてまたは個別に使用することが可能である。さらにパッドは、用途に応じて異なる大きさおよび形状を有してもよい。しかしながら、それでもパッドは、骨突出部位の中央であって、かつ、各関節の中央回転軸から離れて位置する。
【０００８】
親指用のパッドは、側部領域の第１節骨の突出部位の間に位置する。またパッドは、母指中手指節関節の回転中心軸の上で、かつ、指骨間関節の回転中心軸の下に位置する。このパッドの配置の仕方は、数多くある。このパッドは、作業に応じて指および手のひらのパッドのすべて、いくつかまたは１つと組み合わせてまたは組み合わせずに利用される。
【０００９】
必要に応じて、パッドを骨突出部位をちょうど越えた各指の末節骨に亘って位置させてもよい。このパッドは、各指の遠位指節間関節の回転中心軸上に位置する。したがって３つのパッドがグローブに要求される用途に応じて各指に配置される。
【００１０】
手首の可動領域もまた手首の関節の回転中心軸によって決められる。これによって手首が実質的に自由に動き、同時にプレーヤーの手からグローブが外れるのを防ぐことになる。すべてのグローブが手首の可動部分を必要とするわけではない。しかしながら、関節の回転中心軸によって決まる指、手および手首の可動領域の組み合わせは、種々のグローブの用途に利用される。
【００１１】
本発明の目的は、手の特定の部分に応力がかかるのを防ぐバッティンググローブを提供することである。
【００１２】
また本発明は、手と接触する種々の領域に所定の材料の構造体を有するバッティンググローブを提供することも目的としている。
【００１３】
さらに本発明は、手と接触する種々の領域に所定の厚みの所定の材料の構造体を有するバッティンググローブを提供することを目的としている。
【００１４】
さらに本発明は、手首の動きを自由にし、骨突出部位に負荷をかけず、指およびこぶしを動きやすくし、手の甲を保護する種々の材料を用いたバッティンググローブを提供することを目的としている。
【００１５】
また本発明は、使用時に手の所定の部分に応力がかかるのを防ぐゴールキーパー用保護グローブを提供することを目的としている。
【００１６】
また本発明は、手の所定の解剖学的部位を保護するために手の所定の部分に設けられたパッドを含み、それでも手の指および関節に柔軟性および可動性を持たしたホッケーのゴールキーパー用保護グローブを提供することを目的としている。
【００１７】
さらに本発明は、手の所定の解剖学的部位を保護するために手の所定の部分に設けられたパッドを含み、それでも手の指および関節に柔軟性および可動性を持たした作業用手袋を提供することを目的としている。ここで言う「作業用手袋」としては、ガーデニング用手袋、自動車整備用手袋ならびに自転車、バイクおよび自動車に乗るときに使用するスポーツ用手袋などが挙げられる。
【００１８】
ある１つの態様において、本発明は、骨突出部位の周囲の柔らかい部分に充填され、腱鞘および腱に負荷をかけず、手の所定の部分に力が加わるのを防ぐために所定の厚さの所定の材料を含むバッティンググローブを提供する。特にツーウエイ・スパンデックス（SPANDEX（登録商標））材は、グローブの手首の可動部分に使用され、リクラ（LYCRA（登録商標））などの薄い弾性材料は、指の関節部分やこぶし部分に使用され、ジャネックスーパー（JANEC SUPER（登録商標））などの合成材料は、指の背側の部分に使用され、カブレータスキン保護カバーは、手の任意の部分に使用され、ゴム発泡保護パッドは、任意の接触部分に配置され、テリーコットンなどの軟らかいパッドは、グローブの内側の任意の部分に配置される。
【００１９】
より具体的には本発明は、グローブ部分と保護パッドを含むホッケーのゴールキーパー用保護グローブを提供する。グローブ部分は、甲側と手のひら側とからなり、これらは手のひらおよび指を含む手のひら側をカバーする表グローブパネル部と手の甲および指を含む手の甲側をカバーする裏グローブパネル部とを含む。グローブ部分を構成する表および裏パネル部は、使用者の手が入る開口部を有するグローブ胴体を形成するために各パネルの周囲に沿って固定される。保護パッドには表面とグローブ部分の甲側が保護パッドの裏側に取り付けられた裏面とを有する。特にグローブ部には使用者の指が入る指部が設けられている。衝撃吸収パッドは、使用者の手がグローブに挿入された際の手の解剖学的部位の位置によって定められる所定の領域に重なるように設けられる。特に通常、厚みが約１／４インチの発泡ゴムまたは別の発泡弾性材料である衝撃吸収パッドは、親指の中手指節関節と指骨間関節の回転中心軸との間にある少なくとも親指のＡ２プーリー（pulley）部分に重なるように位置する。衝撃吸収パッドの他の領域は、人差し指の近位指節間関節上で、遠位指節間関節の回転中心軸の下の中節骨に重なり、中指の中手指節関節上で、遠位指節間関節の回転中心軸の下の中節骨に重なり、薬指の中節骨ならびに小指の中手指節関節および遠位指節間関節の回転中心軸の下に重なるように設けられる。さらに衝撃吸収パッドは、人差し指、中指、薬指および小指の中手指節関節の回転中心軸の下の中手骨の部分に重なるように設けられる。
【００２０】
また特に本発明は、甲側パネルと手のひら側パネルとを有し、甲側パネルが手の甲および甲側の指をカバーするサイズを有し、手のひら側パネルが手のひらおよび手のひら側の指をカバーするサイズを有する。甲側パネルおよび手のひら側パネルは、使用者の手が入る開口部を有するグローブ胴体を形成するために各パネルの外周に沿って固定される。特にグローブ胴体には使用者の指が入る指部が設けられている。衝撃吸収パッドは、使用者の手が挿入された際に手の解剖学的部位の位置によって定められる任意の領域に重なるように設けられる。特に通常、厚みが約１／４インチの発泡ゴムまたは別の発泡弾性材料である衝撃吸収パッドは、人差し指と中指の中手骨関節を除いた人差し指および中指の中手骨の少なくとも半末端（distal halves）に重なるように配される。さらにそして好ましくは、母指尺骨（thumb ulnar）を保護するパッドが親指の中手指節関節と指骨間関節との間の近位節骨の尺骨縁（ulnar boarder）に沿う位置で親指を入れる部分に沿って配され、またさらに中手指節関節と指骨間関節との間の近位節骨のＡ２プーリーに亘って配される。
【００２１】
本発明のさらなる目的および利点は、本明細書の一部を構成する添付図面を参照した下記の詳細な説明および特許請求の範囲から明らかになる。
【００２２】
本発明をより明確に理解できるように添付図面を参照してより具体的に説明する。なお、図中、同じ部分には同じ符号を付してある。
【００２３】
図１は、人間の右手１０の手のひら１８側から見た骨の解剖学的構造を略式に示した図である。この図には橈骨２０、尺骨２１、橈骨手根関節（RC）２３’、下橈尺関節（DRUJ）２２、手関節１２、母指６４、人差し指６５、中指６６、薬指６７および小指６８が示されている。手根６９は、フック状の突起を有する有鉤骨７１、舟状骨２４’および月状骨２５などの８つの手根骨を含み、その内の７つを図１に示している。
【００２４】
母指６４は、末節骨５１と、指骨間関節（IP）４６と、基節骨４１と、基節骨の骨幹４１’と、中手指節関節（MCP）３６と、中手骨３１と、手根中手関節（CMC）２６とから構成される。
【００２５】
人差し指６５は、末節骨６０と、遠位指節間関節（DIP）５６と、中節骨５２と、近位指節間関節（PIP）４７と、基節骨４２と、中手指節関節（MCP）３７と、中手骨３２と、手根中手関節（CMC）２７とから構成されている。
【００２６】
中指６６は、末節骨６１と、遠位指節間関節（DIP）５７と、中節骨５３と、近位指節間関節（PIP）４８と、基節骨４３と、中手指節関節（MCP）３８と、中手骨３３と、手根中手関節（CMC）２３とから構成されている。
【００２７】
薬指６７は、末節骨６２と、遠位指節間関節（DIP）５８と、中節骨５４と、近位指節間関節（PIP）４９と、基節骨４４と、中手指節関節（MCP）３９と、中手骨３４と、手根中手関節（CMC）２４とから構成されている。
【００２８】
小指６８は、末節骨６３と、遠位指節間関節（DIP）５９と、中節骨５５と、近位指節間関節（PIP）５０と、基節骨４５と、中手指節関節（MCP）４０と、中手骨３５と、手根中手関節（CMC）３０とから構成されている。
【００２９】
図１Ａは、右手１０の指６４−６８の靭帯性腱鞘系（pulley systems）および屈筋腱（flexor tendons）の骨格解剖構造を示している。親指６４は、屈筋腱（母指伸筋（pollicis longus））およびＡ１プーリー２２０、Ａ２プーリー２２２、Ａ３プーリー２２４の３つの靭帯性腱鞘２２０−２２４を含む。この中でＡ２プーリー２２２が機能的に最も重要であり、親指６４の基節骨４１に付着している。人差し指６５、中指６６、薬指６７および小指６８各指の靭帯性腱鞘２３０−２３８も図に示した。各指は、Ａ１プーリー２３０、Ａ２プーリー２３２、Ａ３プーリー２３４、Ａ４プーリー２３６およびＡ５プーリー２３８からなる５つの靭帯性腱鞘を有する。Ａ２プーリー２３２とＡ４プーリー２３６は、機能的に最も重要であると考えられている。Ａ２プーリー２３２は、基節骨４２−４５に付着している。Ａ４プーリー２３６は、中節骨５２−５５に付着している。Ａ１プーリー２３０は、中手指節関節（MCP）３７−４０の近くにあり、Ａ３プーリー２３４は、近位指節間関節（PIP）４７−５０の近くにあり、Ａ５プーリー２３８は、遠位指節間関節（DIP）５６−５９の近くにある。
【００３０】
屈筋腱２０２−２０８は、各指６５−６８に１つのユニットとして示しているが、実際には各ユニットは、２つの屈筋腱から構成されている。これらは、浅指屈筋と深指屈筋（図に符号２０２−２０８で示されている）である。これらの腱２０２−２０８は、靭帯性腱鞘２３０−２３８の下を通り、深指屈筋は、各指６５−６８の末節骨６０−６３に付着している。腱２０２−２０８は、腱の近接端部に付着した筋肉（図示せず）を介して靭帯性腱鞘２３０−２３８の下で前後に動く。これら腱２０２−２０８が動くことによって指６５−６８の屈曲運動を可能にする。靭帯性腱鞘２３０−２３８は、指６５−６８の屈曲運動によって屈筋腱２０２−２０８が骨から弓状に引っ張られたり、外れたりするのを防ぐ役割りを果たす。靭帯性腱鞘２３０−２３８が損傷したり、機能しなくなったりすると、腱２０２−２０８は、弓状に反ってしまい、指の動きが著しく損なわれ、握力の低下につながる。したがって、靭帯性腱鞘２３０−２３８、特にＡ２プーリー２３２およびＡ４プーリー２３６は、特に重要であり、可能な限り保護されなければならない。図４に示すように各指６５−６８に保護パッド１０２がＡ２およびＡ４プーリーの領域に解剖学的設計に基づいて配されている。これらＡ２およびＡ４プーリー２３２および２３６が保護されていても、各指６５−６８の動きおよび握力は、維持される。
【００３１】
図２乃至５に右手、左手または両手１０用の好ましいバッティンググローブ８０を示す。左手用グローブ８０は、ここで説明する部材、材料および厚さが対照の配置となる。
【００３２】
図２は、手１０をカバーするバッティンググローブ８０の背面側を示し、右手の背面側の骨格構造および皮膚の外郭と重なるように示している。
【００３３】
バッティンググローブ８０は、複数の指部８２、８４、表面部８６（甲側）および下部８８（手のひら側）（図３乃至５参照）を含み、指部８２が指６５−６８をカバーする。親指部８４は、親指６４をカバーし、表面部８６は、手の甲側１６をカバーする。下部８８は、手のひら１８をカバーする。
【００３４】
ゴム製バンド９０が表面部８６および下部８８に取り付けられている。ゴム製バンド９０は、手首１２上に保持するための面ファスナー９２、９４形状の固定手段を含む。
【００３５】
表面部８６は、手１０の指６５−６８の中手指節関節（MCP）３７−４０を越え、手首の辺りまで配された好ましくは、「２−ウエイスパンデックス（2-WAY SPANDEX、登録商標）」からなる弾性材９６を含む。さらに保護カバー９８が手１０の甲１６をカバーするためにグローブの中央に位置している。
【００３６】
各指部８２は、各指６５−６８の近位指節間関節（PIP）４７−５０および遠位指節間関節（DIP）５６−５９をカバーするために取り付けられた薄い弾性材１１６を受けるために形成された開口部を有する合成材料１００を含む上部８３（甲側）を有する。
【００３７】
図３に示すように指部８２の下部８５（手のひら側）は、保護被層９８を含む。保護パッド１０２が保護被層９８の下で指６５−６８に隣接した所定の位置に取り付けられている。図３および４に示すように保護パッド１０２および保護被層９８は、各指６５−６８の中節骨５２−５５、特にＡ４プーリー２３６領域および基節骨４２−４５、特にＡ２プーリー２３２領域をカバーする。下部８５には開口部が形成されており、これら開口部は、各指６５−６８の近位指節間関節（PIP）４７−５０および遠位指節間関節（DIP）５６−５９の手のひら側１８をカバーするための薄い弾性材１１６を受けるためのものである。
【００３８】
親指部８４は、親指６４の末節骨５１、中手指節関節（MCP）３６、基節骨４１、中手骨３１および手根中手関節（CMC）２６を囲む保護被層９８を含む。図２に示すように開口部が保護被層９８に形成され、親指６４の指骨間関節（IP）４６をカバーする薄い弾性材１１６を受けている。また別の開口部が中手指節関節（MCP）３６上の保護被層９８に形成され、薄い弾性材１１６を受けている。図２乃至５に示すように薄い弾性材１１６で保護された1片の保護パッド１０２が指部８４の領域に貼付されており、親指６４の基節骨４１’の骨幹上の親指６４の尺骨縁（内側）の中央に配置されている。基節骨４１’の骨幹は、親指６４の中手指節関節（MCP）３６と指骨間関節（IP）４６の間で見つけられる。
【００３９】
図３を参照すると、下部８８は手首１２の近くに弾性材９６を含んでいる。下部８８は、その手首１２から離れたところから中手指節関節（MCP）３６−４０を僅かに越えて延び、手１０の手のひら１８のカバーするように位置する保護被層９８を含む。1片の保護パッド１０２がこの保護被層９８の下で手のひらの中央領域１８に貼付され、中手指節関節（MCP）３７−４０の回転中心軸の下に所定の距離離れて位置し、有鉤骨７１の鉤の上を所定の距離離れて延びている。
【００４０】
図３Ａに示すようにバッティンググローブ８０の別の好ましい態様は、図３に示したグローブに類似しているが、手のひら１８の中央領域１０３には保護パッド１０２が設けられてなく、２つの別個の部分、第１セクション１０５と第２セクション１０７と当接しているという点で異なる。第１セクション１０５と第２セクション１０７は、両方とも保護被層９８の下に保護パッド１０２を含む。中央部１０３は、保護被層９８を含むが、保護パッド１０２は含まない。図３Ａを見たとき、手のひら１８の中央領域の全体の外形は、図３のグローブと似ているが、中央部１０３が第１セクション１０５および第２セクション１０７に対して浮き上がって見えるまたはへこんで見えるという点で異なる。
【００４１】
再度図３を参照すると、第１ウェブ１２０が親指部８４が人差し指６５に近接している領域に形成されている。また追加の保護被層９８（これにより保護被層９８の厚みが２倍になる）が、第１ウェブ１２０上に貼付されている。弾性材１１６で覆われた１片の保護パッド１０２が第１ウェブ１２０上の保護パッド９８に貼付され、親指８４の保護パッド１０２と接触する領域をカバーしている。使用者がグローブ８０をはめた際、下部８８は手のひら１８の残りの部分と接触する。
【００４２】
図５を参照すると、下部８８は、所定の位置に複数の指開口部１１０、親指開口部１１２および主開口部１３０を有する外周に沿って手１０の手のひら１８および甲１６全体をカバーすることができるように表面部８６に取り付けられる。第２、第３および第４ウェブ１２２、１２４、１２６は、ぞれぞれ隣接する指６５−６８の間に形成される。指部８２は、各指開口部１１０に固定式に装着される。さらにバッティンググローブ８０は、その指部８２にその間で横方向に貼付された弾性ウェブ材１０４が設けらており、これら弾性ウェブ材１０４は、人差し指６５の先端から第２ウェブ１２２へと延び、そこからさらに中指６６に沿って延び、同じように第４ウェブ１２６を過ぎて、小指６８の先端へと延びている。テリーコットンのような軟らかいパッド９９が、必要に応じてバッティンググローブの内側に配され、これにより好ましくは手のひら１８および指６５−６８の靭帯性腱鞘の領域の厚みのある保護パッド１０２をカバーし、着け心地をよくする。
【００４３】
製造に使用される材料は、以下の種々の目的を達成するために予め選択される。
【００４４】
例えばジャネックスーパー（JANEC SUPER（登録商標））などの合成材料１００は、手１０の指６５−６８の背面に使用される。
【００４５】
「２−ウエイスパンデックス（2-WAY SPANDEX、登録商標）」などのツーウェイ弾性材は、グローブ８０の可動性を向上させるために手１０の可動領域に使用される。
【００４６】
ライクラ（LYCRA（登録商標））などの薄い弾性材１１６は、手１０の指６５−６８、６４の全ての関節の回転中心軸を基準にしたグローブ８０の領域をカバーするように使用されている。
【００４７】
カブレータスキン（インドネシアシープスキン）などの保護被層９８は、バット（図示せず）を握るおよびバットでボール（図示せず）を打つ際に手に生じる擦り傷および衝撃から守るために使用される。
【００４８】
厚さ１／１６インチのフォームラバーなどの保護パッド１０２は、手１０に伝わる最も強い衝撃を軽減するために指６５−６８のグリップ面、特にＡ２プーリー２３２およびＡ４プーリー２３６の領域ならびに手のひら１８および第１ウェブ１２０のグリップ面を良好にするために使用される。
【００４９】
ここに開示した内容は、バッティンググローブだけではなく、種々の他の活動、例えば、ゴルフ、ガーデニングなどのアウトドアーでの作業に使用される手袋にも適用可能である。このような活動での使用時の手の保護は、例えば必要に応じてパッド、被層、弾性材および開口部の量、配置、厚み、寸法および弾性量などを変えることによって達成される。
【００５０】
Ｂ．作業用手袋
ガーデニングなどの作業用手袋として有用な好ましい手袋４００の右手を図６−７に示す。破線で外形を示したグローブ４００は、手のひら側パネル４０２と甲側パネル４０４を含む。通常これら２つのパネルは、符号４０１で示すようにそれらの外周に沿って縫い合わされ、複数の指を入れる部分を形成する。これらの指を入れる部分は、人差し指用を符号４１０で、中指用を４１２、薬指用を４１４で、小指用を４１６で示している。親指用は、符号４０８で示している。このグローブ４００には手が入る開口部４０３が設けられている。パネル４０２、４０４は、レザーなどの業界で公知の好適な材料で形成されている。パネル４０２の底部に沿って少なくとも人差し指および中指の中手骨３２、３３場合によっては、薬指および小指の中手骨３４、３５の末節半部に重なる少なくとも手のひら保護パッド４２４が貼付されている。好ましい態様では、尺骨保護パッド４２２が中手指節関節３６と指骨間関節４６の間の親指基節骨４１の尺骨縁に沿うように適合した位置で親指を入れる部分に沿って設けられ、同様に親指Ａ２プーリー保護パッド４２３が中手指節関節３６と指骨間関節４６の間の親指基節骨４１の親指を入れる部分に沿って配されている。パッド４２３は、指骨間関節４６の回転中心軸の下に位置する。パッド４２２および４２３は別のパッドとして示されているが、これらは一体化されてもよい。さらに別のパッド４２６を中手指節関節３７の上で、近位指節間関節４７の回転中心軸の下の基節骨４２をカバーするために設けてもよい。また中指４１２、薬指４１４および小指４１６の基節骨４３、４４および４５上に配置される衝撃吸収パッド４２７、４２８および４２９などの他のパッドを設けてもよい。これらのパッドは、中手指節関節３８、３９および４０の上で、かつ、近位指節間関節４８、４９および５０の回転中心軸の下に配置される。さらに符号４３６、４３７、４３８および４３９で示す別の衝撃吸収パッドを中節骨５２、５３、５４および５５上に配置してもよい。これらパッド４３６、４３７、４３８および４３９は、近位指節間関節４７、４８、４９および５０の上で、かつ、符号５６、５７、５８および５９で示す遠位指節間関節の回転中心軸の下に位置する。上述の解剖学的見地から配置される衝撃吸収パッドは、指の腱鞘および屈筋を保護するが、関節の回転中心軸３０の動きは自由に維持される。これにより使用時に悪影響を与えることなく、指を動かすことができる。
【００５１】
上記の詳細な説明は、本発明の理解を容易にするためのものであり、本発明を限定するものではなく、この説明の基に本発明の範囲を逸脱することなく当業者が種々の変形を行えることは明らかである。
【図面の簡単な説明】
【００５２】
【図１】手の手のひら側を詳細に示した右手の骨の解剖学的構造を略式に示した図である。
【図１Ａ】右手の骨、腱鞘および腱を詳細に示した手の手のひら側の解剖学的構造を略式に示した図である。
【図２】本発明の好ましい態様の１つのバッティンググローブの甲側を詳細に示し、かつ、右手甲側の骨格の造りに重なって見えるようにした図。
【図３】本発明の好ましい態様の１つのバッティンググローブの手のひら側を詳細に示し、かつ、右手手のひら側の骨格の造りに重なって見えるようにした図。
【図３Ａ】対応する手のひら側を詳細に示した本発明の好ましい態様の別のバッティンググローブの下面図。
【図４】本発明の好ましい態様の１つのバッティンググローブの橈側側面図であり、手の骨格の造りに重なって見えるようにした図。
【図５】本発明の好ましい態様のバッティンググローブの主要部材のいくつかを示す分解図。
【図６】本発明のグローブの手のひら側の図であって、右手の骨格の作りに重なって見えるようにした図。
【図７】図６の７−７線に沿った断面図。
【図１】
2007506521.tif 000003
【図１Ａ】
2007506521.tif 000004
【図２】
2007506521.tif 000005
【図３】
2007506521.tif 000006
【図３Ａ】
2007506521.tif 000007
【図４】
2007506521.tif 000008
【図５】
2007506521.tif 000009
【図６】
2007506521.tif 000010
【図７】
2007506521.tif 000011
【国際調査報告】
2007506521.tif 000012